(57)【特許請求の範囲】
【請求項１】
二軸延伸プラスチックからなり椀型本体の開口縁にフランジを有する包装用プレ成型品を成型する工程と、
この包装用プレ成型品のフランジの両面のうち一方の面の全周に隣接して対向するカール阻止面を配置する工程と、
この包装用プレ成型品の本体を冷却しかつフランジを熱風により加熱することでフランジだけを前記カール阻止面の逆側に向けてカールさせて縁巻き部を形成する工程と、を含む包装用成型品の製造方法。
【請求項２】
二軸延伸プラスチックからなり椀型本体の開口縁にフランジを有する包装用プレ成型品から、前記フランジを熱収縮によりカールさせることで椀型本体の開口縁に縁巻き部を有する包装用成型品を製造する包装用成型品の製造装置であって、
その上面に前記包装用プレ成型品の椀型本体が嵌合可能な本体嵌合面およびフランジが嵌合可能なフランジ嵌合面を有し、かつその内部に自身を冷却可能なクーラを有する下型と、
前記下型の上方に昇降可能に配置され、上下に延びる押さえ筒と押さえ筒の上端部を閉塞する閉止板とを有して、その下降時に押さえ筒の下端面が前記下型のフランジ嵌合面に衝合することで前記下型の本体嵌合面との間に密閉空間を形成し、かつその衝合箇所より外方に前記押さえ筒の下端面または前記下型のフランジ嵌合面の一部が突出する上型と、
前記下型のフランジ嵌合面または前記押さえ筒の下端面の、前記衝合箇所より外方に突出する部分に熱風を吹き付け可能なブロワと、を備える包装用成型品の製造装置。
【発明の詳細な説明】
【技術分野】
【０００１】
この発明は、二軸延伸プラスチックからなる包装用成型品、その包装用成型品の製造方法、およびその包装用成型品の製造装置に関する。
【背景技術】
【０００２】
食品などの商品を包装するためのプラスチック製の包装用成型品（容器および蓋）が知られている。このような包装用成型品は、プラスチックシートに真空成型や圧空成型により椀型に盛り上がった箇所を多数形成しておき、当該箇所の周縁部をマージンを残して切断してシート本体から切り離すことで作製される。
その結果、できあがった包装用成型品は、椀型本体の開口縁の全周にフランジを有し、このフランジの外周には鋭利な裁断面が現れることになる。したがって、その包装用成型品を取り扱う際に、その裁断面で手を切るおそれがあり危険である。
【０００３】
そこで、包装用成型品の開口縁にできるフランジをカールさせて縁巻き部を形成し、裁断面で手が切れないようにすることもよく行われている。
その一例として、特許文献１のように、包装用成型品をチャックしてその周方向に回転させながら、開口縁に熱源となる特殊な構造のロールを接触させ、フランジをそのロールにより加熱しながら押圧することでカールさせる方法がある。
ちなみに、このようにフランジをカールさせて縁巻き部を形成することで、開口縁部の厚みが増して成型品全体の剛性も高まっている。
【先行技術文献】
【特許文献】
【０００４】
【特許文献１】特開平８−４７９７０号公報
【発明の概要】
【発明が解決しようとする課題】
【０００５】
しかし、特許文献１のようにして包装用成型品のフランジをカールさせる場合、回転する成型品が平面視円形でなければ、すなわち成型品の回転中心から開口縁までの距離が均一でなければ、開口縁全周にわたって熱源となるロールを均等に接触させることができない。
したがって、カール処理できる成型品の形状が実質上平面視円形だけに制約されてしまう。
【０００６】
また包装用成型品の素材として、二軸延伸ポリスチレンなどの二軸延伸プラスチックが汎用されているが、このような素材は熱収縮性を有するため、特許文献１のようにして熱源となるロールを直に接触させると、伝熱作用により成型品全体が収縮したり変形したりしてしまう。
その結果、成型品のフランジだけをきれいにカールさせることができない。
【０００７】
そこでこの発明の解決すべき課題は、二軸延伸プラスチックからなる平面視が種々の形状の包装用成型品について、その開口縁をカールさせて縁巻き部を形成するのを可能にすることである。
【課題を解決するための手段】
【０００８】
上記した課題を解決するため、発明にかかる包装用成型品の製造方法を、二軸延伸プラスチックからなり椀型本体の開口縁にフランジを有する包装用プレ成型品を成型する工程と、この包装用プレ成型品のフランジの両面のうち一方の面の全周に隣接して対向するカール阻止面を配置する工程と、この包装用プレ成型品の本体を冷却しかつフランジを熱風により加熱することでフランジだけをカール阻止面の逆側に向けてカールさせて縁巻き部を形成する工程と、を含む構成としたのである。
【発明の効果】
【０００９】
この製造方法によれば、フランジは加熱されて熱収縮するがその片面にはカール阻止面が隣接しているためこれが壁となってその方向への熱収縮に伴うカールが阻止されている。そのため、フランジの全周がカール阻止面と逆方向に方向付けられてスムーズにカールすることになり、縁巻き部が綺麗に形成される。一方、成型品の本体は冷却されているため、本体の熱収縮による変形が防がれている。
【００１０】
フランジが熱源と非接触の状態でカールするため、フランジを熱源と接触させる場合のように、成型品の本体の形状が、その回転中心から開口縁までの距離が均一な形状、すなわち平面視円形である必要がない。
その結果、本体が平面視楕円形、平面視矩形などのような平面視非円形の場合でも、開口縁に縁巻き部を綺麗に形成することが可能である。
【図面の簡単な説明】
【００１１】
【図１】実施形態の包装用成型品の（ａ）は斜視図、（ｂ）は（ａ）の矢印断面図
【図２】実施形態の製造装置の断面図
【図３】実施形態の製造装置の断面図
【図４】実施形態の製造装置の断面図
【図５】実施形態の製造装置の断面図
【図６】実施形態の製造装置の他の例を示す断面図
【発明を実施するための形態】
【００１２】
以下、図面を参照しつつこの発明の実施形態について説明する。
図１に示す実施形態の包装用成型品１０は、食品などの商品を包装する包装容器の開口を閉塞する蓋として用いられる。
【００１３】
この包装用成型品１０は、平面視楕円形の上面１１と、上面１１の全周から広がって垂下する側面１２と、側面１２の下端全周から上向きにカールする縁巻き部１３と、からなる。
このカールする縁巻き部１３は、二軸延伸プラスチックシート体の収縮の現象を利用して形成されたものであるが、その形成の機構については後述する。
上面１１はその外周に補強用の環状リブ１１ａが設けられており、側面１２はその上面１１から縁巻き部１３に至る中途に環状の肩部１２ａが設けられている。
ここで包装用成型品１０の上面１１と側面１２とは、下向きに開口する椀型の本体を構成しており、縁巻き部１３は、この本体の開口縁の厚みを大きくして包装用成型品全体の剛性を高めている。
包装用成型品１０は、二軸延伸ポリスチレン、二軸延伸ポリプロピレン、二軸延伸ポリスチレンテレフタレートなどの二軸延伸プラスチックより形成されている。
【００１４】
この包装用成型品１０は、図２から図５に示すような製造装置２０を用いることで、同図に示す包装用プレ成型品ｐから製造される。
【００１５】
図２から図４に示すように、包装用プレ成型品ｐは、平面視楕円形の上面１１と、上面１１の全周から広がって垂下する側面１２と、側面１２の下縁全周からほぼ水平に広がるフランジ１４と、からなる。
ここでプレ成型品ｐの上面１１および側面１２は、包装用成型品１０の上面１１および側面１２と相似形である。
【００１６】
このプレ成型品ｐは、二軸延伸プラスチックからなるシートに、熱板圧空成型や圧空成型により椀型に盛り上がった箇所を多数形成しておき、当該箇所周縁部のマージンを残して切断してシート本体から切り離すことで作製される。
シートの椀型に盛り上がった箇所がプレ成型品ｐの本体に、マージンがプレ成型品ｐのフランジ１４に、それぞれ対応しており、フランジ１４の外周には切り離しに伴う鋭利な裁断面が現れている。
【００１７】
図２から図５に示すように、実施形態の製造装置２０は、上下に並列する下型２１および上型２２と、ブロワ２３とからなる。
【００１８】
図示のように、アルミ、真鍮、鉄などの金属製の下型２１は全体がブロック形をなしており、その上面に、楕円形の上面嵌合面２１ａと、上面嵌合面２１ａの全周から広がって垂下する側面嵌合面２１ｂと、側面嵌合面２１ｂの下縁全周からほぼ水平に広がる楕円環形のフランジ嵌合面２１ｃとを有する。
上面嵌合面２１ａ、側面嵌合面２１ｂ、フランジ嵌合面２１ｃの形状は、それぞれプレ成型品ｐの上面１１、側面１２、およびフランジ１４の形状に対応している。このため下型２１の上面に、プレ成型品ｐが過不足なくはまり込むようになっている。
ここで上面嵌合面２１ａおよび側面嵌合面２１ｂは、プレ成型品ｐの椀型本体がはまり込む本体嵌合面となっている。
下型２１の上面には、プレ成型品ｐをはめ込んだ際の摩耗や破損を防止するために、フッ素樹脂コーティングが施されている。
【００１９】
また下型２１には、その側面から内部に延びて側面へと還る冷却媒体通路２１ｄが形成されており、ここに図２の矢印で示すように冷水などの冷却媒体を流通させることで、下型２１の全体が冷却されるようになっている。
すなわち、この冷却媒体通路２１ｄがクーラとして機能している。冷却温度は公知の温調機などにより適宜管理される。
【００２０】
一方、アルミ、真鍮、鉄などの金属製の上型２２は、押さえ筒２２ａと、閉止板２２ｂと、からなる。図示のように、上下に開口する押さえ筒２２ａは楕円筒形をなしており、その上端開口は、楕円形の閉止板２２ｂにより閉塞されている。
押さえ筒２２ａの下端面には、フッ素樹脂コーティングが施され、かつ下端面の内周側は面取り加工が施されている。上型にも下型同様にクーラ機能を具備すれば更に好ましい。
上型２２は、図示省略の機構により昇降可能となっており、その下降時には、図３のように押さえ筒２２ａの下端面が下型２１のフランジ嵌合面２１ｃに衝合するようになっている。
このとき同図のように、下型２１の上面嵌合面２１ａおよび側面嵌合面２１ｂと上型２２の閉止板２２ｂとの間には、密閉空間が形成される。
また、上型２２の押さえ筒２２ａの厚みは、下型２１のフランジ嵌合面２１ｃの幅よりも小さく、両者の衝合時には、フランジ嵌合面２１ｃの一部（外側）が衝合箇所よりも外方に突出するようになっている。
このフランジ嵌合面２１ｃは、後述するようにカール阻止面として機能する。
【００２１】
さらに下型２１および上型２２は、図示省略の機構により図４の環状矢印で示すように同軸周りに回転可能となっている。その回転速度は特に限定されないが、たとえば１５ｒｐｍ〜１０００ｒｐｍである。
同図のように、熱風を噴射可能なブロワ２３は、フランジ嵌合面２１ｃの衝合箇所より外方に突出する部分にその熱風を吹き付けられるように配置されている。この熱風の温度は二軸延伸プラスチックシート体の収縮現象が発生する温度であれば特に限定されないが、たとえば１００℃〜６５０℃であるのが好ましい。熱源２３をプレ成型品ｐのフランジ部１４全周を覆うように数多く設置する、もしくは雰囲気全体に熱がかかるようにすれば特に装置を回転する必要はない。
熱風を受けたプレ成型品ｐのフランジ部１４は、二軸延伸プラスチックシート体の収縮の現象により、カール阻止面と反対の方向にカールしてゆくのである。
【００２２】
包装用成型品の製造装置２０の構成は、以上のようであり、次にこの装置２０を用いた包装用成型品１０の製造方法を説明する。
図２および図３に示すように、まず製造装置２０の下型２１の上面に、包装用プレ成型品ｐをはめ込む。下型２１の冷却媒体通路２１ｄに冷却媒体を流通させ冷却しておくことにより、ブロア２３の熱風の影響により、下型２１が加熱されないようにする。
ここでプレ成型品ｐのフランジ１４の幅は、下型２１のフランジ嵌合面２１ｃの幅とほぼ等しくなるように調節されている。
【００２３】
この状態から図３の下向き矢印で示すように、上型２２を下降させる。そして図４に示すように、上型２２の押さえ筒２２ａの下端面により、下型２１のフランジ嵌合面２１ｃにはまり込むプレ成型品ｐのフランジ１４を挟みつける。
ここで押さえ筒２２ａの下端面には、フッ素樹脂コーティングが施されているため、フランジ１４を挟んだ際に損耗を与えるのが防止されている。また、押さえ筒２２ａの下端面の内周側に面取り加工が施されているため、フランジ１４との接触面積が小さく、その観点からもフランジ１４に損耗を与えるのが防止されている。
上型２２の下降により、プレ成型品ｐの上面１１および側面１２、すなわち本体は製造装置２０の密閉空間に収容される。一方、プレ成型品ｐのフランジ１４の一部、すなわち下型２１のフランジ嵌合面２１ｃの一部（外側）にはまり込んでいる箇所は、密閉空間の外側にはみ出ている。
【００２４】
さらに図４の環状矢印でしめすように、上型２２と下型２１を同軸周りに回転させながら、その側方からブロワ２３を接近させ、プレ成型品ｐのフランジ１４の密閉空間外側にはみ出た部分に熱風を吹きつける。
【００２５】
フランジ１４は二軸延伸プラスチックからなるため、熱風により軟化して収縮する。このときフランジ１４は、下型２１のフランジ嵌合面２１ｃが壁、すなわちカール阻止面となってカールできないため、図５のように、フランジ嵌合面２１ｃと逆側、すなわち開放された上方に向けてカールする。フランジ１４の全周にわたって、カールの向きが上方に方向付けられるため、綺麗な上向きカールが得られる。
一方プレ成型品ｐの上面１１および側面１２は、製造装置２０の密閉空間に収容されて外部から断熱され、かつ素材となるプラスチックのガラス転移点以下の温度に冷却されている。このため、プレ成型品ｐの本体は、ブロワ２３の熱風により軟化収縮して変形することが防止されている。
【００２６】
このように、フランジ１４がカールすることで縁巻き部１３が形成され、包装用成型品１０が完成する。カールによりフランジ１４の鋭利な裁断面が内側に巻き込まれて隠れるため、成型品１０を取り扱う際にも裁断面で手を傷付けるおそれはない。
【００２７】
ここで、プレ成型品ｐのフランジ１４の幅は特に限定されないが、小さすぎるとカールを形成しにくく、大きすぎると縁巻きが大きくなって美観を損なうため、３ｍｍ〜２０ｍｍが好ましく、特に５ｍｍ〜１２ｍｍが望ましい。
また、製造装置２０の上型２２の押さえ筒２２ａの厚みは特に限定されないが、小さすぎると密閉空間の断熱性が落ちて成型品本体が変形するおそれがあり、大きすぎるとフランジ１４を挟んだ際に損耗を与えやすくまた上型２２が大型化すること、機械加工や冷却効率の便を考慮すると、０．５ｍｍ〜３ｍｍが特に好ましい。
【００２８】
縁巻き部１３があることで、成型品１０の剛性が向上するため、素材となる二軸延伸プラスチックシートの厚みを小さくすることができる。そのため、材料コストの削減が可能となる。シートの厚みは特に限定されないが、たとえば、０．１３ｍｍ〜０．４５ｍｍである。
また、縁巻き部１３があることで、蓋として用いるこの成型品１０を、容器の開口にはめ込む際の嵌合力も向上している。
【００２９】
図６に、製造装置２０の他の例を示す。この例では、下型２１のフランジ嵌合面２１ｃの幅よりも上型２２の押さえ筒２２ａの厚みのほうが大きく、両者を衝合させた際には、押さえ筒２２ａの下端面の一部（外側）が衝合箇所よりも外方に突出するようになっている。
【００３０】
この例では、その押さえ筒２２ａの下端面がカール阻止面として機能する。
いま図６（ａ）のように、そのフランジ１４の幅が下型２１のフランジ嵌合面２１ｃの幅よりも大きいプレ成型品ｐを準備して、上述したのと同様に、フランジ１４の製造装置２０の密閉空間より外側にはみ出た部分にブロワ２３で熱風を吹きつける。
すると、フランジ１４は熱風により軟化して収縮するが、押さえ筒２２ａの下端面が壁、すなわちカール阻止面となって上向きにカールできないため、図６（ｂ）のように開放された下向きに全周がカールし、下向きカールからなる縁巻き部１３を有する包装用成型品１０が得られる。
【００３１】
上記実施形態では、包装用成型品１０を平面視楕円形としたが、これに限定されず、円形、矩形、多角形、長円形、星型など種々の形状とすることができる。
成型品１０の本体の形状は、上面１１と側面１２があるものに限られず、ドーム型の曲面形状を含む椀型全般とすることができる。
また、包装用成型品１０の上面１１のリブ１１ａおよび側面１２の肩部１２ａは、それぞれ省略可能である。あるいは、側面１２にリブを設けたり、上面１１にエンボス部を設けたりしてもよい。
【００３２】
とくに、上述のように、実施形態の製造装置２０は、熱源と非接触の状態で包装用成型品１０の縁巻き部１３を形成するため、平面視非円形の包装用成型品１０の製造に好適に用いられる。
下型２１および上型２２の形状は、包装用成型品１０の形状にあわせて適宜変更可能である。たとえば包装用成型品１０の上面が矩形で有る場合には、下型２１の上面嵌合面２１ａも矩形とし、上型２２の閉止板を矩形とし押さえ筒を角筒形にする。
【００３３】
成型品１０の縁巻き部１３は、プレ成型品ｐのフランジ１４の全部をカールさせて形成してもよいし、一部をカールさせて形成してもよい。フランジ１４の一部をカールさせた場合には、カールしていない箇所はそのまま包装用成型品１０のフランジとなる。
なお、包装用成型品１０として蓋を例示したが、下面と側面と側面上縁の縁巻き部を有する容器、すなわちコップなどとしてもよいことは無論である。
【００３４】
実施形態では、製造装置２０の上型２２および下型２１を回転させたが、上型２２および下型２１は固定して、その周りにブロワ２３を周回させてもよい。
また、クーラとして冷却媒体通路２１ｄを例示したが、これに限定されず公知の冷却手段が適用可能である。
【符号の説明】
【００３５】
１０  包装用成型品
１１  上面
１１ａ  リブ
１２  側面
１２ａ  肩部
１３  縁巻き部
１４  フランジ
２０  包装用成型品の製造装置
２１  下型
２１ａ  上面嵌合面
２１ｂ  側面嵌合面
２１ｃ  フランジ嵌合面
２１ｄ  冷却媒体通路（クーラ）
２２  上型
２２ａ  押さえ筒
２２ｂ  閉止板
２３  ブロワ
ｐ  包装用プレ成型品
【図１】
0005514024.tif 000002
【図２】
0005514024.tif 000003
【図３】
0005514024.tif 000004
【図４】
0005514024.tif 000005
【図５】
0005514024.tif 000006
【図６】
0005514024.tif 000007